(57)【要約】  薬剤容器は、薬液を受ける中空のチャンバ（１１１）を画成している円筒形中空の容器本体（１００）であって、容器本体（１００）が、容器本体（１００）の側壁（１２１）上に部分を含んでおり、その部分が、容器本体（１００）の長手軸に沿った長手範囲と、容器本体（１００）の周囲に沿った周囲範囲とを有しており、それにより、容器本体（１００）の側壁（１２１）を通って中空のチャンバ（１１１）内への窓（１２２）が形成され、窓（１２２）が、２つの長縁部（１２４）および２つの短縁部（１２５）を備えている、円筒形中空の容器本体（１００）と、容器の側壁（１２１）の外表面（１２０）に配置された近距離無線通信（ＮＦＣ）アンテナ（１１０）であって、アンテナ（１１０）が、１つまたは複数の入れ子式アンテナ巻線（１５０）を含んでおり、入れ子式アンテナ巻線（１５０）のそれぞれが、窓（１２２）の２つの長縁部（１２４）に沿って配置された実質的に長手の部分（１４１）と、容器本体（１００）の側壁（１２１）周りの大部分に、窓（１２２）の２つの短縁部（１２５）のうちの第２の短縁部とは反対の、窓（１２２）の２つの短縁部（１２５）のうちの第１の短縁部に少なくとも部分的に沿って、配置された実質的に周囲の部分（１４２）とを含んでいる内部周辺（１４０）を囲んでいる、近距離無線通信（ＮＦＣ）アンテナ（１１０）とを備えていてもよい。
2019507632.tif 000002
【特許請求の範囲】
【請求項１】
薬剤容器であって、
薬液を受ける中空のチャンバ（１１１）を画成している円筒形中空の容器本体（１００）であって、前記円筒形中空の容器本体（１００）が、前記円筒形中空の容器本体（１００）の側壁（１２１）上に部分（１２３）を備えており、前記部分（１２３）が、前記円筒形中空の容器本体（１００）の長手軸に沿った長手範囲と、前記円筒形中空の容器本体（１００）の周囲に沿った周囲範囲とを有しており、それにより、前記円筒形中空の容器本体（１００）の前記側壁（１２１）を通って前記中空のチャンバ（１１１）内への窓（１２２）が形成され、前記窓（１２２）が、２つの長縁部（１２４）および２つの短縁部（１２５）を備えている、円筒形中空の容器本体（１００）と、
前記円筒形中空の容器本体（１００）の前記側壁（１２１）の外表面（１２０）に配置された近距離無線通信（ＮＦＣ）アンテナ（１１０）であって、前記ＮＦＣアンテナ（１１０）が、１つまたは複数の入れ子式アンテナ巻線（１５０）を備えており、前記入れ子式アンテナ巻線（１５０）のそれぞれが、前記窓（１２２）の前記２つの長縁部（１２４）に沿って配置された実質的に長手の部分（１４１）と、前記円筒形中空の容器本体（１００）の前記側壁（１２１）周りの大部分に、前記窓（１２２）の前記２つの短縁部（１２５）のうちの第２の短縁部とは反対の、前記窓（１２２）の前記２つの短縁部（１２５）のうちの第１の短縁部に少なくとも部分的に沿って、配置された実質的に周囲の部分（１４２）とを備える内部周辺（１４０）を囲んでいる、近距離無線通信（ＮＦＣ）アンテナ（１１０）と
を備えている薬剤容器。
【請求項２】
前記窓（１２２）が透明窓（１２２）であり、
前記部分（１２３）が透明部分（１２３）である、
請求項１に記載の薬剤容器。
【請求項３】
前記実質的に周囲の部分（１４２）は、２つの端部（１４３）を有しており、前記実質的に長手の部分（１４１）は、前記実質的に周囲の部分（１４２）の前記２つの端部（１４３）のうちの一方において、または前記実質的に周囲の部分（１４２）の前記２つの端部（１４３）間において、前記実質的に周囲の部分（１４２）に取り付けられた第１の端部（２４３）を備えている、請求項１または２に記載の薬剤容器。
【請求項４】
前記円筒形中空の容器本体（１００）の上側部分（１３０）に配置された封止部（１３１）をさらに備え、
前記窓（１２２）が、実質的に前記封止部（１３１）まで延在している、請求項１から３のいずれか一項に記載の薬剤容器。
【請求項５】
前記内部周辺（１４０）が、前記円筒形中空の容器本体（１００）の前記側壁（１２１）周りの周方向の大部分に、前記窓（１２２）の前記２つの短縁部（１２５）のうちの第１の短縁部とは反対の、前記窓（１２２）の前記２つの短縁部（１２５）のうちの第２の短縁部に少なくとも部分的に沿って、配置されたさらなる実質的に周囲の部分（３４３Ｂ）を備えている、請求項１から３のいずれか一項に記載の薬剤容器。
【請求項６】
前記さらなる実質的に周囲の部分（３４３Ｂ）が２つの端部（３４５Ｂ）を有しており、前記実質的に長手の部分（１４１）が、前記さらなる実質的に周囲の部分（３４３Ｂ）の前記２つの端部（３４５Ｂ）のうちの一方において、または前記さらなる実質的に周囲の部分（３４３Ｂ）の前記２つの端部（３４５Ｂ）間において、前記さらなる実質的に周囲の部分（３４３Ｂ）に取り付けられた第２の端部（２４４）を備えている、請求項５に記載の薬剤容器。
【請求項７】
前記ＮＦＣアンテナ（１１０）が、前記円筒形中空の容器本体（１００）の前記側壁（１２１）に接着により取り付けられた、柔軟性があり透明な基板（２６０）上に堆積されている、請求項１から６のいずれかに記載の薬剤容器。
【請求項８】
前記ＮＦＣアンテナ（１１０）が、前記内部周辺（１４０）の前記実質的に周囲の部分（１４２）内に配置されたＮＦＣデバイス（２８０）に接続されている、請求項１から７のいずれかに記載の薬剤容器。
【請求項９】
前記ＮＦＣアンテナ（１１０）が、前記内部周辺（１４０）の前記実質的に周囲の部分（１４２）に配設された接続パッド（２９２）を含むブリッジ部分（２９０）を備えている、請求項１から８のいずれかに記載の薬剤容器。
【請求項１０】
前記窓（１２２）が、前記窓（１２２）の前記２つの長縁部（１２４）間の領域に広がっており、前記円筒形中空の容器本体（１００）の前記周囲の少なくとも５０％の周囲範囲を有する、請求項１から９のいずれかに記載の薬剤容器。
【請求項１１】
前記窓（１２２）が、前記円筒形中空の容器本体（１００）の前記周囲の少なくとも６６％、および好ましくは少なくとも７５％の周囲範囲を有する、請求項１０に記載の薬剤容器。
【請求項１２】
前記複数の入れ子式アンテナ巻線（１５０）が、前記実質的に周囲の部分（１４２）の幅範囲に基本的に等しい前記実質的に周囲の部分（１４２）周りの巻幅を有する、請求項１から１１のいずれかに記載の薬剤容器。
【請求項１３】
前記複数の入れ子式アンテナ巻線（１５０）が、前記内部周辺（１４０）の全周囲に沿って基本的に同じである巻幅を有する、請求項１から１２のいずれかに記載の薬剤容器。
【発明の詳細な説明】
【技術分野】
【０００１】
様々な実施形態は、薬剤容器の非接触自動認証に関し、例えば薬液で満たされている円筒形中空の容器本体に関する。
【背景技術】
【０００２】
非接触認証については、ＮＦＣとも呼ばれる「近距離無線通信」の技術が提案されている。近距離無線通信（ＮＦＣ）は、家庭用電化製品、モバイルデバイス、およびＰＣにおいて双方向で使用するために開発されてきた短距離無線通信技術である。この技術は、近接している２つのデバイス間でデータの交換を可能にするものであり、「無線周波数識別デバイス（ＲＦＩＤ）」のためのＩＳＯ／ＩＥＣ１４４４３近接型カード規格の延長上にあるものである。
【０００３】
ＮＦＣに基づく通信は、製品に取り付けられた非接触タグとして動作する一方のエンティティと、静止デバイスまたはモバイルデバイスに埋め込むことができる非接触リーダ／ライタとして動作する他方のエンティティとの２つのＮＦＣエンティティ間で確立することができる。
【０００４】
例えば欧州特許第１４０２４７０号明細書は、医療用容器に取り付けられるＲＦＩＤラベルを開示しており、ここでＲＦＩＤラベルは、正方形状のアンテナの中央に置かれた集積回路を含んでいる。ＲＦＩＤラベルは、約２１ｃｍ2（１．８×１．８インチ）のサイズを有する。
【０００５】
特にサイズの小さいＲＦＩＤラベルでは、通信が正常に機能する位置の自由度が制限されることが、経験上示されているので、ＮＦＣデバイスに使用されるアンテナは、通常、性能基準だけでなく、アンテナにより占有される空間に関する基準にも対応している。
【０００６】
上記に鑑み、良好な非接触通信を保証し、薬剤容器を用いた制限のない専門的なハンドリングを可能にする薬剤容器が必要とされているのは明らかである。
【発明の概要】
【０００７】
本発明の実施形態は、上記の目的を解決する薬剤容器を提供する。
【０００８】
実施形態では、薬剤容器が提供される。薬剤容器は、薬液を受ける中空のチャンバを画成している円筒形中空の容器本体を含んでいる。円筒形中空の容器本体は、円筒形中空の容器本体の側壁上に（例えば透明な）部分を含んでおり、その（例えば透明な）部分は、円筒形中空の容器本体の長手軸に沿った長手範囲と、円筒形中空の容器本体の周囲に沿った周囲範囲とを有しており、それにより、円筒形中空の容器本体の側壁を通って中空のチャンバ内への窓が形成される。窓は、２つの長縁部および２つの短縁部を含んでいる。近距離無線通信（ＮＦＣ）アンテナは、円筒形中空の容器本体の側壁の外表面に配置されている。ＮＦＣアンテナは、１つまたは複数の入れ子式アンテナ巻線を含んでおり、入れ子式アンテナ巻線のそれぞれは、窓の２つの長縁部に沿って配置された実質的に長手の部分と、円筒形中空の容器本体の側壁周りの大部分に、窓の２つの短縁部のうちの第２の短縁部とは反対の、窓の２つの短縁部のうちの第１の短縁部に少なくとも部分的に沿って、配置された実質的に周囲の部分とを含んでいる内部周辺を囲んでいる。
【０００９】
窓は、透明窓であっても透明窓を含んでいてもよく、部分は透明部分であっても透明部分を含んでいてもよい。
【００１０】
関連した実施形態では、実質的に周囲の部分は、２つの端部を有しており、実質的に長手の部分は、実質的に周囲の部分の２つの端部のうちの一方において、または実質的に周囲の部分の２つの端部間において、実質的に周囲の部分に取り付けられた第１の端部を含んでいる。
【００１１】
別の関連した実施形態では、薬剤容器は、円筒形中空の容器本体の上側部分に配置された封止部をさらに含んでおり、（例えば透明な）窓は、実質的に封止部まで延在している。
【００１２】
さらに別の関連した実施形態では、内部周辺は、円筒形中空の容器本体の側壁周りの周方向の大部分に、（例えば透明な）窓の２つの短縁部のうちの第１の短縁部とは反対の、（例えば透明な）窓の２つの短縁部のうちの第２の短縁部に少なくとも部分的に沿って、配置されたさらなる実質的に周囲の部分を含んでいる。
【００１３】
さらに別の関連した実施形態では、さらなる実質的に周囲の部分は２つの端部を有しており、実質的に長手の部分は、さらなる実質的に周囲の部分の２つの端部のうちの一方において、またはさらなる実質的に周囲の部分の２つの端部間において、さらなる実質的に周囲の部分に取り付けられた第２の端部を含んでいる。
【００１４】
さらに別の関連した実施形態では、ＮＦＣアンテナは、円筒形中空の容器本体の側壁に接着により取り付けられた、柔軟性があり透明な基板上に堆積されている。
【００１５】
さらに別の関連した実施形態では、ＮＦＣアンテナは、内部周辺の実質的に周囲の部分内に配置されたＮＦＣデバイスに接続されている。
【００１６】
さらに別の関連した実施形態では、ＮＦＣアンテナは、内部周辺の実質的に周囲の部分に配設された接続パッドを含むブリッジ部分を含んでいる。
【００１７】
さらに別の関連した実施形態では、（例えば透明な）窓は、（例えば透明な）窓の２つの長縁部間の領域に広がっており、円筒形中空の容器本体の周囲の少なくとも５０％の周囲範囲を有する。
【００１８】
さらに別の関連した実施形態では、（例えば透明な）窓は、円筒形中空の容器本体の周囲の少なくとも６６％、および好ましくは少なくとも７５％の周囲範囲を有する。
【００１９】
さらに別の関連した実施形態では、複数の入れ子式アンテナ巻線は、実質的に周囲の部分の幅範囲に基本的に等しい実質的に周囲の部分周りの巻幅を有する。
【００２０】
さらに別の関連した実施形態では、複数の入れ子式アンテナ巻線は、内部周辺の全周囲に沿って基本的に同じである巻幅を有する。
【００２１】
本発明またはその実施形態の他の態様、目的、および利点は、以下の図面と併せて詳細な記述を読むと、明らかになろう。
【図面の簡単な説明】
【００２２】
【図１】近距離無線通信（ＮＦＣ）アンテナを有する円筒形中空の容器の概略図である。
【図２】平坦面に堆積されたときに見える例示的な近距離無線通信（ＮＦＣ）アンテナの図である。
【図３−１】図３ＡおよびＢは、平坦面に堆積されたときに見えるさらなる例示的な近距離無線通信（ＮＦＣ）アンテナの図である。
【図３−２】図３ＣおよびＤは、平坦面に堆積されたときに見えるさらなる例示的な近距離無線通信（ＮＦＣ）アンテナの図である。
【図３−３】図３Ｅは、平坦面に堆積されたときに見えるさらなる例示的な近距離無線通信（ＮＦＣ）アンテナの図である。
【図４】図４ＡおよびＢは、ＮＦＣリーダ／ライタ上で水平位置にあるＴ字形状のアンテナを有する円筒形容器の概略図である。
【発明を実施するための形態】
【００２３】
図１は、円筒形中空の容器本体１００（以下、容器本体１００と呼ぶ）の側壁１２１の外表面１２０に堆積された近距離無線通信（ＮＦＣ）アンテナ１１０を有する容器本体１００を概略図で示している。それにより近距離無線通信（ＮＦＣ）アンテナ１１０（以下、ＮＦＣアンテナ１１０と呼ぶ）は、１つの巻線１５０のみを有する非常に簡略化された形態で示されており、その巻線１５０は、１つまたは複数の巻線１５０を象徴的に表している。さらに、図は、実際の大きさにも実際の割合にも一致していない。
【００２４】
容器本体１００は、薬液（図示せず）を受けるための中空のチャンバ１１１を含んでいる。容器本体１００は、透明で実質的にクリアな医薬品グレードのガラス、例えばホウケイ酸ガラス、または透明で実質的にクリアな医薬品グレードのプラスチック、例えば環状オレフィンコポリマー、ポリカーボネイト、またはポリプロピレンから作られる。
【００２５】
容器本体１００は、ＮＦＣアンテナ１１０よって部分的に覆われた外表面１２０を有する透明な側壁１２１を含んでいる。さらに、容器本体１００は、封止部１３１を有する上側部分１３０を含んでおり、底部分１３２を含んでいる。
【００２６】
ＮＦＣアンテナ１１０は、内部周辺１４０（陰付きで示す）を囲んでいる１つの巻線または複数の巻線１５０からなり（象徴的な表示としてそのうちの１つのみを示す）、その内部周辺１４０は、実質的に長手の部分１４１と実質的に周囲の部分１４２とからなる。
【００２７】
内部周辺１４０の実質的に長手の部分１４１（以下、長手部分１４１と呼ぶ）は、長手範囲を有し、容器本体１００の長手範囲の方向に配向されている。容器本体１００の長手範囲の方向は、容器本体１００の円筒軸（図示せず）の方向に一致している。
【００２８】
内部周辺１４０の実質的に周囲の部分１４２（以下、周囲部分１４２と呼ぶ）は、２つの端部１４３を含んでおり、長手部分１４１の一方の端部に取り付けられている。周囲部分１４２は、容器本体１００の周囲周りに基本的には周囲方向に延在している。内部周辺１４０の周囲部分１４２は、容器本体１００を部分的な範囲までしか囲んでおらず、それにより周囲部分１４２の２つの端部１４３が互いに集まる場所において巻線１５０の重なりが回避される。
【００２９】
周囲部分１４２は、円筒軸に対して垂直に配向された平面に延在している。ＮＦＣアンテナ１１０の示されている実施形態（図１）では、長手部分１４１は、周囲部分１４２の２つの端部１４３間の中央で周囲部分１４２に取り付けられている。
【００３０】
周囲部分１４２は、円筒軸の方向に幅範囲を有する。
【００３１】
内部周辺１４０を隙間なく囲んでいる複数の巻線１５０は、透明度が低く、または不透明であり、一方、内部周辺１４０は、透明であっても、透明度が低くても、または不透明であってもよい。
【００３２】
ＮＦＣアンテナ１１０が容器本体１００の側壁１２１の外表面１２０を部分的に覆っているので、容器本体１００の側壁１２１の透明部分１２３は、複数の巻線１５０、または内部周辺１４０で覆われていないエリアによって画成される。透明部分１２３は、容器本体１００の長手軸に沿った長手範囲を有し、容器本体１００の周囲に沿った周囲範囲を有する。透明部分１２３は、それにより、容器本体１００の側壁１２１を通ってその中空のチャンバ１１１内への透明窓１２２を画成する。
【００３３】
透明窓１２２を通して、中空のチャンバ１１１内側の薬液、特に薬液の充填レベルを容易に見て観察することができる。透明窓１２２は、円筒軸の方向に両方とも延在している２つの長縁部１２４と、周囲方向に平行に延在している２つの短縁部１２５とによって画成されるものとみなすことができる。２つの短縁部１２５のうちの第１の短縁部は、内部周辺１４０の周囲部分１４２の近くに延在しており、第２の短縁部は、容器本体１００の上側部分１３０の近くに延在している。
【００３４】
ＮＦＣアンテナ１１０は、通常、柔軟性のある透明な基板（図示せず）上に堆積され、その基板が、容器本体１００の側壁１２１の外表面１２０に接着により取り付けられる。柔軟性のある透明な基板（図示せず）は、ＮＦＣアンテナ１１０およびＮＦＣデバイス（図示せず）とともにＮＦＣエンティティを構成しており、そのＮＦＣエンティティが、容器本体１００に取り付けられた非接触タグとして動作する。
【００３５】
上述したように構成され取り付けられたＮＦＣアンテナ１１０によって、容器本体１００の側壁１２１の大きな連続したエリアを透明に維持することが可能になる。内部周辺１４０と、ＮＦＣアンテナ１１０の内部周辺１４０の長手部分１４１および周囲部分１４２を囲む複数の巻線１５０とによって覆われた比較的小さなエリアだけが、側壁１２１が全体的に透明であることを妨げる。
【００３６】
さらに、長手部分１４１、およびその長手範囲に沿った、長手部分１４１を囲む複数の巻線１５０は、円筒軸に対して１８０度よりも小さい、好ましくは１２０度よりも小さい、より好ましくは９０度よりも小さい、さらに好ましくは６０度〜９０度である区域を覆うだけであり得る。
【００３７】
言い換えれば、１８０度よりも小さい区域を覆うことによって、透明窓１２２は、容器本体１００の周囲の少なくとも５０％の周囲範囲を有する。したがって、１２０度よりも小さい区域を覆うことによって、透明窓１２２は、容器本体１００の周囲の少なくとも６６％の周囲範囲を有し、９０度よりも小さい区域を覆うことによって、透明窓１２２は、容器本体１００の周囲の少なくとも７５％の周囲範囲を有する。
【００３８】
１８０度未満の覆われた区域は、容器本体１００を通る透明性、すなわち、側壁１２１の直径方向に対向した両部分を通る透明性を実現する覆われていないエリアを生成する。そのような容器本体１００を通る透明性によって、容器本体１００内の薬液の充填レベルを観察し読み取ることが容易になる。
【００３９】
例えば容器本体１００が、シリンジ（図示せず）によって封止部３５３を通して吸引により薬液が中から引き出される薬剤バイアルである場合、容器本体１００の底部分１３２の近くに周囲部分１４２が配置されていることによって、充填レベルの観察がより容易になる。この目的のために、ＮＦＣアンテナ１００が原因で透明性が提供されない、または完全には提供されない場合には、容器本体１００が具体的に言えば逆さまに保持され、それにより容器本体１００の中空のチャンバ１１１のエアクッションを、それが害にならない容器本体１００の底部分１３２に向ける。
【００４０】
図２は、前の図に関連して記述され、示されるＮＦＣアンテナの実施形態をより詳細に示している。
【００４１】
図および記述は、平坦な表面に広げられたときにＮＦＣアンテナ１１０が取る形状について言及している。図は、実際の大きさにも実際の割合にも一致していない。
【００４２】
示されているＮＦＣアンテナ１１０は導体を含んでおり、導体は、逆さまに回転したＴ字形状とみなすことができる形状を有する内部周辺１４０周りに、複数の入れ子式の巻線１５０、例えば６つの巻線２５１〜２５６の構成に巻かれている。
【００４３】
内側の巻線２５１、４つのさらなる巻線２５２〜２５５、および最外部の巻線２５６は、透明な柔軟性のある基板２６０によって提供された共通表面上に配置されている。共通表面は、通常、作製時にＮＦＣアンテナ１１０が基板２６０上に堆積されるときの平坦面である。基板２６０へのＮＦＣアンテナ１１０の堆積は、例えば基板２６０上に導体を印刷することによって、実現することができる。
【００４４】
複数の入れ子式巻線１５０、例えば導体の６つの巻線２５１〜２５６は、その全周囲を通してほぼ互いに平行に位置合わせされている。６つの入れ子式巻線２５１〜２５６のそれぞれの巻線は、導体幅、および複数の巻線１５０のうちの隣接する巻線の導体までの巻線間距離を有する。
【００４５】
巻幅は、導体幅と、内側の巻線２５１から最外部の巻線２５６までの、内側の巻線２５１および最外部の巻線２５６を含む巻線間距離とからなる。
【００４６】
正確には、２つの巻線区分を区別することができ（１つは長手部分１４１周り、およびもう１つは周囲部分１４２周り）、それぞれの巻線区分は、他方の区分とはわずかに異なる巻幅を有する。しかし、ＮＦＣアンテナ１１０の示されている実施形態では、内部周辺１４０の全周囲に沿った複数の入れ子式巻線１５０の巻幅は、基本的には同じであると考えることができる。さらに、周囲部分１４２の幅範囲は、基本的には巻幅に等しくてもよい。
【００４７】
したがって、ＮＦＣアンテナ１１０の形状は、内側の巻線２５１によって隙間なく囲まれた内部周辺１４０によって画成することができる。その結果、ＮＦＣアンテナ１１０の形状は、その内部周辺１４０の形状に従って、逆さまに回転したＴ字形状とみなすことができる。
【００４８】
内部周辺１４０は、反対方向に突出している２つの脚部を画成している実質的に周囲の部分１４２（以下、周囲部分１４２と呼ぶ）と、実質的に長手の部分１４１（以下、長手部分１４１と呼ぶ）とからなる。長手部分１４１は、周囲部分１４２に取り付けられた第１の端部２４３、および第２の端部２４４を有する。
【００４９】
長手範囲を有する長手部分１４１は、周囲部分１４２の突出脚部の対向する方向に対して垂直に配向されている。それにより、ＮＦＣアンテナ２１０の示されている実施形態の内部周辺１４０は、長手部分１４１の長手範囲の方向に延在している対称軸（図示せず）を有する。
【００５０】
示されているＮＦＣアンテナ１１０の外部周辺２７０は、最外部の巻線２５６によって画成される。
【００５１】
さらに、ＮＦＣアンテナ１１０の示されている実施形態は、ＮＦＣアンテナ１１０とともに基板２６０上に堆積された、内部周辺１４０の周囲部分１４２に配設されているＮＦＣデバイス２８０を含んでいる。ＮＦＣデバイス２８０は、メモリ回路およびインターフェイス回路（両方とも図示せず）を含んでおり、２つの接続パッドが内側の巻線２５１の異なる端部に接続された状態で、内側の巻線２５１において電気的にループ状になっている。
【００５２】
さらに、ＮＦＣアンテナ１１０の示されている実施形態は、内側の巻線２５１を最外部の巻線２５６に電気的に接続するブリッジ部分２９０を含んでいる。
【００５３】
ブリッジ部分２９０は第１の接続パッド２９１を含んでおり、その接続パッドは、外部周辺２７０にある長手部分１４１の第１の端部２４３に近接して配設されており、最外部の巻線２５６に配設されている導体の第１の端部に接続されている。ブリッジ部分２９０は、さらに第２の接続パッド２９２を含んでおり、その接続パッドは、内部周辺１４０の周囲部分１４２に配設され、内側の巻線２５１に配設された導体の第２の端部に接続されている。
【００５４】
第１および第２の接続パッド２９１、２９２は、ＮＦＣアンテナ１１０の長手範囲の方向に互いに位置合わせされている。内側の巻線、例えば最外部の巻線２５６に対する５つの巻線２５１〜２５５は、第１の接続パッド２９１を避けており、それにより第１の接続パッド２９１の近くで内部周辺１４０が局所的に狭くなっているが、長手部分１４１に沿ったＮＦＣアンテナ２１０の外部周辺２７０の横範囲は、実質的に一定に維持されている。
【００５５】
真っ直ぐなブリッジ要素２９３は、第１と第２の接続パッド２９１、２９２を電気的に接続し、その一方で、ブリッジされる巻線に対しては非導電層（図示せず）によって電気的に絶縁されている。
【００５６】
あるいは、ブリッジ部分２９０は、複数の巻線１５０を横切る任意の他の位置に配置されてもよい。例えば好ましい位置は、周囲部分１４２の２つの脚部のうちの一方の脚部の端部とすることができる。そのような配置では、第１の接続パッドが内部周辺の周囲部分１４２に配置され、第２の接続パッドが外部周辺２７０に配置されるように、周囲部分１４２の長手範囲の方向に第１と第２の接続パッドが互いに位置合わせされてもよい。
【００５７】
ブリッジ部分２９０を用いると、アンテナ１１０の導体が閉ループを形成し、その閉ループ内にＮＦＣデバイス２８０が電気的に入ることが保証される。それにより、ＮＦＣアンテナ１１０は、ＮＦＣデバイス２８０がそれに接続され、ＮＦＣアンテナ１１０とＮＦＣデバイス２８０が両方とも基板２６０上に堆積された状態で、ＮＦＣエンティティを構成し、非接触タグとして動作する。
【００５８】
ＮＦＣアンテナ１１０の例示的な寸法的特徴については、様々な実施形態において、ＮＦＣアンテナ１１０は、長手部分１４１の長手範囲の方向に配向されている全長約５５ｍｍである外部周辺２７０の長手範囲を有し、それにより、長手部分１４１に関する外部周辺２７０の区分は約５０ｍｍになる。アンテナ１１０の長手部分１４１における外部周辺２７０は、約７ｍｍの横範囲を有し、アンテナ１１０の周囲部分１４２における外部周辺２７０は約２１ｍｍの横範囲を有する。上述した寸法を有するＮＦＣアンテナ１１０は、例えば、容量３ｍｌを有するバイアルに適用することができる。
【００５９】
様々な実施形態では、アンテナ１１０は、全長約４０ｍｍである外部周辺２７０の長手範囲を有し、それにより長手部分１４１に関する区分は約３４ｍｍになる。ＮＦＣアンテナ１１０の長手部分１４１における外部周辺２７０は、約１４ｍｍの横範囲を有し、周囲部分１４２における外部周辺２７０は、約４０ｍｍの横範囲を有する。上述した寸法を有するＮＦＣアンテナ１１０は、例えば容量１０ｍｌを有するバイアルに適用することができる。
【００６０】
様々な実施形態では、アンテナ１１０は、全長約３７ｍｍである外部周辺２７０の長手範囲を有し、それにより長手部分１４１に関する区分は約３１ｍｍになる。アンテナ１１０の長手部分１４１における外部周辺２７０は、約６ｍｍの横範囲を有し、周囲部分１４２における外部周辺２７０は、約１７ｍｍの横範囲を有する。上述した寸法を有するＮＦＣアンテナ１１０は、例えば容量１ｍｌを有するバイアルに適用することができる。
【００６１】
上記の実施形態のうちの１つの実施形態の特徴を有するＮＦＣアンテナ１１０は、図１に関連して記述されたものなどの容器本体１００に取り付けられたときに、最大１５ｍｍの読取り距離を可能にする性能を呈する。
【００６２】
図３Ａは、ＮＦＣアンテナのさらなる実施形態（以下、ＮＦＣアンテナ３１０Ａと呼ぶ）を示している。ＮＦＣアンテナ３１０Ａは導体を含んでおり、導体は、Ｌ字形状とみなすことができる形状を有する内部周辺１４０周りに、複数の入れ子式の巻線、例えば６つの巻線の構成に巻かれている。
【００６３】
図は、実際の大きさにも実際の割合にも一致していない。
【００６４】
ＮＦＣアンテナ３１０Ａは、上述したＮＦＣアンテナ１１０から、その異なる形状に関してのみ逸脱していることから、繰り返しを避けるために、その構成、特徴、および特に巻線の組成に関する記述は省略する。
【００６５】
ＮＦＣアンテナ３１０Ａは内部周辺１４０を含んでおり、内部周辺１４０は、１つの突出脚部のみを横方向に画成している実質的に周囲の部分３４２Ａ（以下、周囲部分３４２Ａと呼ぶ）と、周囲部分３４２Ａの２つの端部のうちの一方に取り付けられた第１の端部２４３を有する実質的に長手の部分１４１（以下、長手部分１４１と呼ぶ）とからなる。
【００６６】
その長手範囲を有する長手部分１４１は、周囲部分３４２Ａの突出脚部の横方向に対して垂直に配向されている。
【００６７】
図３Ｂは、ＮＦＣアンテナのさらなる実施形態（以下、ＮＦＣアンテナ３１０Ｂと呼ぶ）を示している。アンテナ３１０Ｂは導体を含んでおり、導体は、Ｃ字形状とみなすことができる形状を有する内部周辺１４０周りに、複数の入れ子式の巻線、例えば６つの巻線の構成に巻かれている。
【００６８】
図は、実際の大きさにも実際の割合にも一致していない。
【００６９】
ＮＦＣアンテナ３１０Ｂは、上述したＮＦＣアンテナ１１０から、その異なる形状に関してのみ逸脱していることから、繰り返しを避けるために、その構成、特徴、および特に巻線の組成に関する記述は省略する。
【００７０】
ＮＦＣアンテナ３１０Ｂは内部周辺１４０を含んでおり、内部周辺１４０は、１つの突出脚部のみを横方向に画成している実質的に周囲の部分（以下、周囲部分３４２Ｂと呼ぶ）と、実質的に長手の部分１４１（以下、長手部分１４１と呼ぶ）とからなる。長手部分１４１は、周囲部分３４２Ｂに取り付けられた第１の端部２４３と、周囲部分３４２Ｂの突出脚部の方向と等しい水平方向に突出している１つの脚部のみを画成しているさらなる実質的に周囲の部分３４３Ｂに取り付けられた第２の端部２４４とを有する。さらなる実質的に周囲の部分３４３Ｂは、２つの端部３４５Ｂを有しており、そのうちの一方は長手部分１４１の第２の端部２４４に取り付けられている。
【００７１】
その長手範囲を有する長手部分１４１は、周囲部分３４２Ｂおよびさらなる実質的に周囲の部分３４３Ｂの突出脚部の横方向に対して垂直に配向されている。
【００７２】
図３Ｃは、ＮＦＣアンテナのさらなる実施形態（以下、ＮＦＣアンテナ３１０Ｃと呼ぶ）を示している。図は、実際の大きさにも実際の割合にも一致していない。
【００７３】
ＮＦＣアンテナ３１０Ｃは、図３Ｂに示されているＮＦＣアンテナ３１０Ｂと一致しているが、唯一逸脱しているのは、さらなる実質的に周囲の部分３４３Ｃが、周囲部分３４２Ｂ、３４２Ｃの突出脚部の方向とは反対の横方向に突出している１つの脚部を画成していることである。
【００７４】
図３Ｄは、ＮＦＣアンテナのさらなる実施形態（以下、ＮＦＣアンテナ３１０Ｄと呼ぶ）を示している。図は、実際の大きさにも実際の割合にも一致していない。
【００７５】
ＮＦＣアンテナ３１０Ｄは、図３Ｃに示されているＮＦＣアンテナ３１０Ｃと一致しているが、唯一逸脱しているのは、実質的に周囲の部分３４２Ｄが、反対方向に突出している２つの脚部を画成していることである。実質的に周囲の部分３４２Ｄのそのような実施形態は、すでに上述されており、図２に示されている。
【００７６】
図３Ｅは、ＮＦＣアンテナのさらなる実施形態（以下、ＮＦＣアンテナ３１０Ｅと呼ぶ）を示している。図は、実際の大きさにも実際の割合にも一致していない。
【００７７】
ＮＦＣアンテナ３１０Ｅは、図３Ｄに示されているＮＦＣアンテナ３１０Ｄと一致しているが、唯一逸脱しているのは、さらなる実質的に周囲の部分３４３Ｅが、反対方向に突出している２つの脚部を画成していることである。さらなる実質的に周囲の部分３４３Ｅは、長手部分１４１の第１の端部２４３に取り付けられた実質的に周囲の部分３４２Ｅと同様に形状設定および配向されている。
【００７８】
図４Ａは、図１および図２に関連して上述したＮＦＣアンテナ１１０を有する容器本体１００を概略図で示している。容器本体１００は任意のタイプの容器を表しており、容器本体１００に堆積されたＴ字形状のＮＦＣアンテナ１１０は、上述したＮＦＣアンテナの任意の形状を、単なる例として表している。さらに図は、実際の大きさにも実際の割合にも一致していない。
【００７９】
容器本体１００は、ＮＦＣリーダ／ライタ４００１Ａ上で水平な配向に位置付けられている。ＮＦＣリーダ／ライタ４００１Ａには、ＮＦＣエンティティの構成要素でありリーダ／ライタとして動作する矩形のアンテナ４００３Ａを含む平らなカバー表面４００２Ａが装着されている。矩形のアンテナ４００３Ａは、矩形の内部周辺周りに巻かれた複数の巻線（そのうちの２つのみを示す）から構成されている。
【００８０】
矩形のアンテナ４００３Ａの巻線は実際には見えないが、説明のために見えるようにしてある。
【００８１】
Ｔ字形状のＮＦＣアンテナ１１０の複数の巻線（そのうちの２つのみを示す）にも同じことが当てはまり、それらは通常見えないが、説明のために見えるようにしてある。
【００８２】
ＮＦＣリーダ／ライタ４００１Ａの巻線４００３Ａを形成している導体を通して送られた比較的小さい電流は、導体周りで磁界を生成する。磁界は、導体を円筒軸とする点で描かれた２つの円筒によって表される。磁界は矩形のアンテナ４００３Ａの１辺においてのみ表されているが、実際には、磁界は、矩形のアンテナ４００３Ａの４辺すべてに沿って延在している。
【００８３】
磁界は、容器本体１００に取り付けられたＴ字形状のＮＦＣアンテナ１１０の実質的に長手の部分において導体を捕捉して囲む。これにより、Ｔ字形状のＮＦＣアンテナ１１０の導体に電流が誘導され、その電流が、容器本体１００に取り付けられたＮＦＣエンティティ（図示せず）のＮＦＣデバイス（図示せず）に供給される。それにより、リーダ／ライタ４００１ＡのＮＦＣエンティティと容器本体１００のＮＦＣエンティティとの間で、通信の基礎が作られる。
【００８４】
Ｔ字形状のＮＦＣアンテナ１１０は、その実質的に長手の部分が、リーダ／ライタ４００１Ａの矩形のアンテナ４００３Ａの辺のうちの１つに対して平行に配向された状態で示されているが、容器本体１００は、リーダ／ライタ４００１Ａ上でどちらの水平位置にも配向することができ、その間にＴ字形状のＮＦＣアンテナ１１０によって充分な電流が誘導されることが保証され、２つのＮＦＣエンティティ間の通信を確立することができる。このことは、容器本体１００の任意の回転位置にも当てはまる。
【００８５】
図４Ｂは、図１および図２に関連して上述したＮＦＣアンテナ１１０を有する容器本体１００を概略図で示している。容器本体１００は任意のタイプの容器を表しており、容器本体１００上に示されているＴ字形状のＮＦＣアンテナ１１０は、上述したように構成されたＮＦＣアンテナ１１０の任意の形状を、単なる例として表している。さらに図は、実際の大きさにも実際の割合にも一致していない。
【００８６】
容器本体１００は、ＮＦＣリーダ／ライタ４００１Ａ上で垂直な配向に位置付けられている。ＮＦＣリーダ／ライタ４００１Ａは、前の図に関連して上述したものと同一であってもよい。容器本体１００も、前の図とともに上述したものと同一であってもよい。したがって繰り返しを避けるために、さらなる詳細事項の記述は省略されている。
【００８７】
前の図に関連して記述したように、ＮＦＣリーダ／ライタ４００１Ａの巻線を形成している導体を通して送られた比較的小さい電流は、導体周りで磁界を生成する。磁界は、導体を円筒軸とする点で描かれた２つの円筒によって表される。磁界は矩形のアンテナ４００３Ａの２辺においてのみ表されているが、磁界は、矩形のアンテナ４００３Ａの４辺すべてに沿って延在している。
【００８８】
磁界は、周囲部分、特に容器本体１００に取り付けられたＴ字形状のアンテナ１１０の周囲部分の突出脚部において、導体を捕捉して囲む。これにより、前の図に関連してすでに前述したように、Ｔ字形状のＮＦＣアンテナ１１０の導体に電流が誘導される。
【００８９】
容器本体１００は、リーダ／ライタ４００１Ａ上のどちらの回転位置にも回転することができ、その間に、Ｔ字形状のＮＦＣアンテナ１１０によって充分な電流が誘導されることが保証され、２つのＮＦＣエンティティ間の通信を確立および維持することができる。
【００９０】
それにより、Ｔ字形状のＮＦＣアンテナ１１０が取り付けられた容器本体１００は、任意の水平なまたは直立した垂直な位置、および任意の回転位置に置くことができ、その間に通信が保証される。この姿勢によって、読取り／書込み手順が手動で行われるときだけでなく、リーダ／ライタ４００１Ａ上で次々に容器本体１００を移送するコンベヤを用いて自動的に行われるときにも、読取り／書込み手順が大いに容易になる。そのような環境では、容器本体１００が不注意によりその所定の配向からはずれた場合、例えば反転した場合に、故障の警告はされない。
【００９１】
容器本体１００が垂直方向で逆さまに位置付けられたときの通信も可能にするさらなる自由度は、実質的に長手の部分のそれぞれの端部において実質的に周囲の部分を含むアンテナ、例えば図３Ｂ〜図３Ｅとともに記述したＮＦＣアンテナを用いて達成することができる。
【００９２】
上述した実施形態のうちの１つに従って構成されたＮＦＣアンテナが装着されたＮＦＣエンティティをもつ医療用容器または薬剤容器は、製品タイプ、製造日、保存期間、生産サイトなどの製品関連情報をＮＦＣデバイスに書き込むことによって、製造サイトにおいて自動または手動で個別化することができる。薬局において、この情報を読み出し、例えば保存期間に関して確認することができる。ＮＦＣエンティティに、例えば保管先から出したデータ、患者の名前などを書き込むことによって、さらなる情報を加えることができる。
【図１】
2019507632.tif 000003
【図２】
2019507632.tif 000004
【図３−１】
2019507632.tif 000005
【図３−２】
2019507632.tif 000006
【図３−３】
2019507632.tif 000007
【図４】
2019507632.tif 000008
【国際調査報告】
2019507632.tif 000009
2019507632.tif 000010
2019507632.tif 000011
2019507632.tif 000012
2019507632.tif 000013